(57)【要約】【課題】軸長が長い釘を装填するものであっても、容易かつ確実に握ることができる【解決手段】複数のファスナーを真直状に連結した連結ファスナー１０を収納する打ち込み工具のマガジン５において、上記マガジン５の後端の側壁には、マガジン５の厚み方向に、指が入る程度の大きさの握り補助穴１４を開口形成したことを特徴とする。なお、上記マガジン５は、軸長が略１００ｍｍ以上の長さのファスナーを装填可能なものに好適である。【選択図】図２
2010029946.tif 000002
【特許請求の範囲】
【請求項１】
複数のファスナーを真直状に連結した連結ファスナーを収納する打ち込み工具のマガジンにおいて、
上記マガジンの後端の側壁には、該マガジンの厚み方向に、少なくとも指を入れる程度の大きさの握り補助穴を開口形成した
ことを特徴とする打ち込み工具のマガジン。
【請求項２】
上記マガジンが、軸長が略１００ｍｍ以上の長さのファスナーを装填可能になっていることを特徴とする、請求項１に記載の打ち込み工具のマガジン。
【請求項３】
上記握り補助穴の上部開口端とマガジンの上縁部との間の間隔は略５０〜８０ｍｍに形成されていることを特徴とする、請求項１又は２に記載の打込み工具のマガジン。
【請求項４】
後端から連結ファスナーを装填可能に形成されていることを特徴とする、請求項１〜３のいずれかに記載の打込み工具のマガジン。
【発明の詳細な説明】
【技術分野】
【０００１】
本発明は、複数の釘や打ち込みネジ等のファスナーを真直状に連結した連結ファスナーを収納する打ち込み工具のマガジンに関する。
【背景技術】
【０００２】
一般に、複数の釘や打ち込みネジを真直状に連結した連結釘（いわゆるスティックネイル）を打ち込むための釘打機、ネジ打ち機等の打ち込み工具には、真直状の細長ケース状のマガジンが搭載されている（特許文献１、２参照）。
【０００３】
このようなタイプのマガジンには、連結釘を上から装填するものと、上記特許文献１、２等のように後方から装填するものがある。後方装填タイプのマガジンでは、特許文献１、２に示すように、側面の長手方向に沿ってプッシャをスライドさせるための開口溝を大きく形成する構造になっているので、釘が詰まったときには開口溝の前端からラジオペンチ等を入れて除釘することができることにある。上方装填タイプのものは、プッシャのスライド溝の溝幅は非常に狭くなっているので、除釘できる構造にするためには、マガジンの前端部に除釘用の開口部とドア等を付加してなければならず、コストアップに繋がる。
【０００４】
ところで、この種の空気圧工具は、マガジンが長いほか、かなりの重量があるので片手では扱いにくい。使用中は、打ち込み工具を支えたり、方向を変えたり、あるいは作業者の体より遠くに釘を打ちこんだりする等のために、一方の手で釘打機のグリップを、他方の手でマガジンの後部を握って操作することが多い。そのため、後端部は、手で握りやすいグリップ形状になっている。
【０００５】
連結釘を上から装填するタイプのマガジンでは、マガジンの後端よりも前の上部に開口部が形成され、この開口部から連結釘を装填する構成になっているため、マガジンの後端には連結釘を前方に押し出すプッシャが配置されるだけである。したがって、マガジン後端部の下縁を大きく切り欠いてグリップ形状を容易に形成することができる。
【０００６】
これに対し、後方装填タイプのマガジンでは、後端から連結釘が通過するように構成されているから、特許文献１、２に示すように、マガジンの後端にテールカバーを取り付け、装填される連結釘の上下を覆うようにしなければならない。このため、グリップ形状にするには後端部を特許文献１のようにテールカバーを避けて切り欠くか、あるいは特許文献２に示されるように、樹脂部分を増やしてグリップ用のカバーとテールカバーとを一体に形成しなければならない。
【特許文献１】特開２００７−２５３２５０公報
【特許文献２】特開２００５−２７９７９４公報
【発明の開示】
【発明が解決しようとする課題】
【０００７】
しかしながら、上方装填、後方装填のいずれのタイプのマガジンであっても、上述のようにマガジンの後端下縁を切り欠く構成では、せいぜい９０ｍｍ程度の長さの釘を装填するマガジンが限度であり、１００ｍｍ以上の長い軸長の釘を装填するマガジンでは、従来のように切り欠いてグリップ形状にすると、握り部分の幅（後端上縁から切り欠きまでの寸法）が１００ｍｍ以上となり、しっかりと握りにくくなる。
【０００８】
本発明は上記問題点を解消し、軸長が長いファスナーを装填するものであっても、容易かつ確実に握ることができる構造の打ち込み工具のマガジンを提供することをその課題とする。
【課題を解決するための手段】
【０００９】
上記課題を解決するため、請求項１に係る発明は、複数のファスナーを真直状に連結した連結ファスナーを収納する打ち込み工具のマガジンにおいて、上記マガジンの後端の側壁には、該マガジンの厚み方向に、少なくとも指を入れる程度の大きさの握り補助穴を開口形成したことを特徴とする。
【００１０】
請求項２に係る発明は、請求項１において、上記マガジンが、軸長が略１００ｍｍ以上の長さのファスナーを装填可能になっていることを特徴とする。
【００１１】
請求項３に係る発明は、請求項１又は２において、上記握り補助穴の上部開口端とマガジンの上縁部との間の間隔は略５０〜８０ｍｍに形成されていることを特徴とする。
【００１２】
請求項４に係る発明は、請求項１〜３において、後端から連結ファスナーを装填可能に形成されていることを特徴とする。
【発明の効果】
【００１３】
請求項１に係る発明によれば、マガジンの後端の側壁には、マガジンの厚み方向に、指が入る程度の大きさの握り補助穴を開口形成しているので、打ち込み操作時に、作業者はマガジンの上縁と握り補助穴とに指を掛けてマガジンの後端を確実に握り保持することができるので、特に長いファスナーの操作性が格段に向上する。しかも、この効果を簡単な構造の握り補助穴によって得られるので、コストは非常に低い。
【００１４】
請求項２に係る発明によれば、マガジンが、軸長が略１００ｍｍ以上の長さのファスナーを装填可能になっている場合に、特に握り補助穴の効果が大きい。
【００１５】
請求項３に係る発明によれば、握り補助穴の上部開口端とマガジンの上縁部との間の間隔は略５０〜８０ｍｍに形成されているから、握りやすく、安定して確実にグリップすることができる。
【発明を実施するための最良の形態】
【００１６】
図１は打ち込み工具の一形態としての釘打機の概観図で、符号１は釘打機本体を示す。釘打機本体１の下部には打ち込み用ノーズ部３が形成されている。また、釘打機本体１の後部にはグリップ４が一体的に設けられ、ノーズ部３の後部にはマガジン５が連設されている。
【００１７】
なお、釘打機本体１には、圧縮空気の空気圧により作動される公知の打撃機構が設けられ、打撃機構が作動すると、ドライバとよばれる棒状の打撃手段がノーズ部３内の釘（ファスナー）を打撃してノーズ部３の先端から打ち出すように構成されている。
【００１８】
マガジン５は真直状の長いケース状に形成され、その内部には連結釘（連結ファスナー）１０を収納可能なガイド溝６が形成されている。図２に示されるように、ガイド溝６の上端には釘頭部１１ａのガイド部６ａが、その下方には釘軸部１１ｂのガイド部６ｂが形成されている。マガジン５の前端５ａは上記ノーズ部３の射出口２に開口している。また、マガジン５の外側の側壁７ａには、その長手方向にその長手方向に沿って摺動溝８が形成されている。また、後端５ｂは開口され、後端の周縁部には合成樹脂製のテールカバー９が設けられている。
【００１９】
上記摺動溝８に沿ってプッシャ１２が摺動自在に設けられている。プッシャ１２は定出力バネ（図示せず）によって常に前方に移動するように付勢されている。プッシャ１２にはガイド溝６内に収納された連結釘１０の後端に係合する係合部１３が形成されているが、係合部１３はガイド溝６から側方に退避可能に形成されている。
【００２０】
マガジン５に収納される連結釘１０は、スティックネイルと呼ばれる多数の釘を真直状に連結したものである。なお、図２において、１１ｐは連結釘１０の長さが１００ｍｍの釘を装填した場合の釘の下端であることを示し、１１ｑは１３０ｍｍの釘を装填した場合の下端であることを示す。１００ｍｍや１３０ｍｍという長さの釘は、通常使用される釘よりもかなり長い釘であり、このような収納したマガジン５というのは、通常のマガジン５に比べてかなり上下間の寸法が大きくなっている。
【００２１】
上記マガジン５に連結釘１０を装填するには、マガジン５の後端開口部１８から連結釘１０の先頭釘を挿入して押し込めばよい。このように連結釘１０を挿入して装填した後にプッシャ１２を連結釘１０の後方に引き戻してその係合部１３を連結釘の後方に移動させてガイド溝６の内側に回動させ、プッシャ１２を解放することにより係合部１３が連結釘１０の後端に係合し、連結釘１０を常時ノーズ部３側に押圧する。
【００２２】
マガジン５内のガイド溝６に沿って収納された連結釘１０の先頭釘は、プッシャ１２によりノーズ部３の射出口２に供給される。そして、上記打撃機構によって駆動されたドライバによって打ち出され、被打ち込み材に打ち込まれる。
【００２３】
ところで、上記マガジン５の後端には、図３に示されるように、上記プッシャ１２の摺動溝８を形成した側とは反対側の側壁７ｂに握り補助穴１４が開口形成されている。この握り補助穴１４はマガジン５の厚み方向に、大人の指が４本入る程度の大きさに形成されている。また、マガジン５の後端下縁部には手掛け用の切欠き部１５が形成されている。
【００２４】
１００ｍｍ、１３０ｍｍ等の長さの釘は、通常使用される釘よりもかなり長い釘であり、このようなマガジン５は、通常のマガジンに比べて上縁部１６と下縁部１７との間の距離はかなり長い。したがって、使用時に釘打機本体１を支えたり、釘打機の方向を変えたり、あるいは作業者の体から離れた位置に釘を打ちこんだりする場合には、一方の手（例えば右手）で起動用トリガを引くために釘打機のグリップ４を握り、他方の手（左手）でマガジン５の後端部を握って操作することが多い。後端部を握るときに、マガジン５の上縁部１６と下部の切欠き部１５とを握ると、上縁部１６と切欠き部１５との間の距離は１００ｍｍ以上になるので、通常の作業者の手では非常に握りにくく、不安定である。
【００２５】
ところが、握り補助穴１４を利用して、上縁部１６に左手の親指の付け根を掛けた状態で４本の指を握り補助穴１４に通して握ると、容易にしっかりと握ることができる。これにより、マガジン５の後端を左手で強く握り締めて上述のような操作をすることができるので、打ち込みの操作を安定的に行うことができる。なお、握り補助穴１４は、プッシャ１２が握り補助穴１４の部分を通り過ぎた後に使用することができる。
【００２６】
また、必要に応じて、握り補助穴１４に親指を通し、その下の切欠き部１５に他の４本の指を掛けて使用することもできる。
【００２７】
長さが１３０ｍｍ以上の長い釘を装填できるマガジン５の場合は、上縁部１６から握り補助穴１４までの距離は５０ｍｍ前後にすることにより、上述のように、２通りの使用ができる。
【００２８】
長さが１００ｍｍ程度の長い釘を装填するマガジン５の場合は、図４に示されるように、マガジン５の後端部の上縁部１６から８０ｍｍ前後下の位置に握り補助穴１４を形成するだけでよい。
【００２９】
握り補助穴１４の上部開口端とマガジン５の上縁部１６との間の間隔が５０〜８０ｍｍに形成されていると、握りやすく、安定して確実にグリップすることができる。なお、図４のマガジン５は上方装填タイプのマガジンである。
【００３０】
上述のように、上記構成のマガジン５によれば、釘打ち込み操作時にマガジン５の後端を確実に握り保持することができるので、特に長い釘の操作性が格段に向上する。しかも、この効果を簡単な構造の握り補助穴１４によって得られるのであり、テールカバー９に加工を施したり、合成樹脂量を増やしたりすることがないから、コストは非常に低い。
【００３１】
なお、上記握り補助穴１４は握るだけでなく、釘打機を壁などのフックに掛けておく場合にも利用することができる。別にフックに掛けるための穴１９（図３参照）を形成してもよいのはもちろんである。
【００３２】
また、握り補助穴１４は必ずしも指４本を入れる大きさに限定されない。例えば図５の握り補助穴１４ａのように、親指１本が入る鄭殿大きさでもよい。この場合は、握り補助穴１４ａに親指を入れ、下の切欠き１５に４本の指を掛けて使えばよい。
【図面の簡単な説明】
【００３３】
【図１】本発明に係る釘打機の側面図
【図２】上記釘打機の背面図
【図３】上記釘打機のプッシャが握り補助穴を通り過ぎた後の握り補助穴を示すマガジンの後端部の側面図
【図４】上方装填タイプのマガジンに握り補助穴を形成した形態のマガジン後端部の要部側面図
【図５】握り補助穴の他の形態を示すマガジンの要部側面図
【符号の説明】
【００３４】
５    マガジン
１０  連結釘
１４  握り補助穴
【図１】
2010029946.tif 000003
【図２】
2010029946.tif 000004
【図３】
2010029946.tif 000005
【図４】
2010029946.tif 000006
【図５】
2010029946.tif 000007